(57)【要約】【課題】  輸送時や施工時においてスプリンクラーヘッドの感熱体や感熱分解部を外力から保護し、スプリンクラーヘッドから取外した後も再利用が可能なプロテクターの提供。【解決手段】  本体１にノズルを有しており本体１からノズル１Ａの放水方向に延出された複数のフレームアーム２を備え、複数のフレームアーム２の間に感熱体Ａが設置されており、フレームアーム２の先端に板状のデフレクター４が設置されたスプリンクラーヘッドＳに用いられるプロテクター１０であり、細長い板状をしたベース１１には、一方の端を他方の端に着脱可能な係合構造１３、１４を有しており、ベース１１の表面にデフレクター４と係合可能な複数の突起１５を設置した。【選択図】    図１
2019037463.tif 000002
【特許請求の範囲】
【請求項１】
本体にノズルを有しており本体からノズルの放水方向に延出された複数のフレームアームを備え、複数のフレームアームの間に感熱体が設置されており、フレームアームの先端に板状のデフレクターが設置されたスプリンクラーヘッドに用いられるプロテクターであり、
細長い板状をしたベースには、一方の端を他方の端に着脱可能な係合構造を有しており、
ベースの表面にデフレクターと係合可能な複数の突起が設置されたことを特徴とするスプリンクラーヘッドの感熱分解部用プロテクター。
【請求項２】
ベースは溝により複数のプレート部に区切られており、それぞれのプレート部にデフレクターと係合可能な突起が設置されている請求項１記載のスプリンクラーヘッドの感熱分解部用プロテクター。
【請求項３】
ベースの表面にはデフレクターと係合可能な突起が設置され、裏面に溝が刻設されている請求項２記載のスプリンクラーヘッドの感熱分解部用プロテクター。
【請求項４】
ベースの表面にはフレームアームと係合可能な突起が設置されている請求項１〜請求項３の何れか１項記載のスプリンクラーヘッドの感熱分解部用プロテクター。
【請求項５】
プレート部は４つ以上設置されている請求項２〜請求項４の何れか１項記載のスプリンクラーヘッドの感熱分解部用プロテクター。
【発明の詳細な説明】
【技術分野】
【０００１】
本発明は、スプリンクラーヘッドの感熱体を保護するプロテクターに関するものである。
【背景技術】
【０００２】
スプリンクラーヘッドは火災時に自動的に作動して水を散布する。常時においてノズルは感熱分解部により閉止されており、感熱分解部に組み込まれ感熱体が火災の熱により作用することで感熱分解部が分解作動してノズルが開放される。
【０００３】
スプリンクラーヘッドは、感熱体および感熱分解部を輸送時や施工時の衝撃から保護するために保護キャップ（例えば、特許文献１参照）やカバー（例えば、特許文献２参照）を装着している。
【０００４】
特に、フレーム型スプリンクラーヘッドは感熱体や感熱分解部が露出しており外力を受けやすいことから、海外では規格により保護キャップまたはカバーの装着が定められている国がある。
【０００５】
海外では、感熱体としてグラスバルブが用いられるのが一般的である。グラスバルブはガラスの内部にアルコール等を封入したものであり、火災の熱によりアルコールが膨張してガラスが破壊されることでスプリンクラーヘッドのノズルが開放される。グラスバルブを外力から保護するために輸送や施工の際にはグラスバルブを囲むようにカバーが設置されている。
【０００６】
図４に示すカバー２１０は、有底円筒型のカップ形状をしており、側面内部の底面付近に設置されたリブによってデフレクターを係止可能となっている。側面内側にはライン状の薄肉部２５３ａが平行に２本刻設されている。２本の薄肉部２５３ａの間にはタブ２５１が設置されており、スプリンクラーヘッドにカバーが装着されている状態からカバー２１０を取り外す際にはタブ２５１を底面側に引くと、薄肉部２５３ａが引き裂かれてカバー２１０をスプリンクラーヘッドから取外し易くなる。
【先行技術文献】
【特許文献】
【０００７】
【特許文献１】特開２００２−２１００３４号公報
【特許文献２】米国特許第８９１０７２３号明細書
【発明の概要】
【発明が解決しようとする課題】
【０００８】
上記のカバーはスプリンクラーヘッド毎に設置されており、取外した後はゴミとして廃棄されていた。特に上記のカバーは取外しの際に引き裂かれるので一度しか使用できないものであった。
【０００９】
そこで本発明では、上記問題に鑑み、輸送時や施工時においてスプリンクラーヘッドの感熱体や感熱分解部を外力から保護し、スプリンクラーヘッドから取外した後も再利用が可能なプロテクターを提供することを目的としている。
【課題を解決するための手段】
【００１０】
上記の目的を達成するために、本発明は以下のスプリンクラーヘッドの感熱分解部用プロテクターを提供する。
すなわち、本体にノズルを有しており本体からノズルの放水方向に延出された複数のフレームアームを備え、複数のフレームアームの間に感熱体が設置されており、フレームアームの先端に板状のデフレクターが設置されたスプリンクラーヘッドに用いられるプロテクターであり、
細長い板状をしたベースには、一方の端を他方の端に着脱可能な係合構造を有しており、
ベースの表面にデフレクターと係合可能な複数の突起が設置されている。
【００１１】
これによれば、プロテクターのベースは一方の端を他方の端に着脱可能な係合構造を有しており、スプリンクラーヘッドを軸まわりに取り囲むようにベースを設置して係合構造を係合させるとスプリンクラーヘッドの感熱体や感熱分解部をベースにより保護することができる。ベースの表面にはデフレクターと係合可能な複数の突起が設置されており、該突起によってベースをスプリンクラーヘッドに係合可能である。スプリンクラーヘッドの施工が終了するとプロテクターは取り外されるが、ベースの両端を係合している係合構造は着脱可能な構造であり、プロテクターを取外す際に係合状態を解除できる。係合状態を解除したプロテクターは元の板状に戻すことができ回収や保管、運搬がしやすい。
【００１２】
ベースは輪のように屈曲させて両端を係合させることから、ベースには複数の溝を刻設しておくことで溝を折り目にして本体を輪のように屈曲させやすくできる。溝により区切られた部分をプレート部とし、それぞれのプレート部にデフレクターと係合可能な突起が設置されている。溝の本数を多くするとプレート部の数も多くなるが、プレート部が３つ以下ではベースを屈曲しにくいので４つ以上設置することが望ましい。
【００１３】
デフレクターと係合可能な突起はベースの表面側に設置し、裏面に溝を刻設して構成可能である。またベースの表面にフレームアームと係合可能な突起を設置することで、プロテクターとスプリンクラーヘッドの係合をより強固にすることができる。
【発明の効果】
【００１４】
以上説明したように本発明のプロテクターによれば、板状のベースをスプリンクラーヘッドの周囲を取り囲むように屈曲させて設置して感熱体や感熱分解部を外力から保護可能である。さらにベースは着脱可能な係合構造を有しており、プロテクターをスプリンクラーヘッドから取外した後に、ベースを元の板状に戻せるので回収や保管、運搬が容易となる。これにより再利用が可能なスプリンクラーヘッドの感熱分解部用プロテクターを実現できる。
【図面の簡単な説明】
【００１５】
【図１】本発明のプロテクターを装着したスプリンクラーヘッドの断面図。
【図２】図１のＸ−Ｘ断面図（スプリンクラーヘッドは断面図示しない）。
【図３】図１のプロテクターの装着前の状態であり、（ａ）は平面図であり（ｂ）は（ａ）に示した矢印Ｂから見た図。
【図４】従来品のカバーであり、（ａ）はスプリンクラーヘッドに装着した状態、（ｂ）はカバーのみの斜視図。
【発明を実施するための最良の形態】
【００１６】
第１実施形態（図１〜図３）
図１に示す第１実施形態のプロテクター１０は、スプリンクラーヘッドＳの感熱体を覆うように設置される。スプリンクラーヘッドＳは図示しない給水配管と接続されており、内部にノズル１Ａを有する本体１と、本体１から放水方向に延出された２本のフレームアーム２、２を有する。フレームアーム２の先端はノズルの中心軸１Ｂ上に配置された中空形状のボス３に接続している。ボス３の先端にはデフレクター４が設置されている。
【００１７】
デフレクター４はノズルから放出された水を衝突させて四方へ飛散させるものであり、概ね円盤形状をしている。デフレクター４の周縁には複数のスリット（図示しない）が形成されており、スリットの形状によって散水パターンをコントロールしている。
【００１８】
平時において、ノズル１Ａの出口は閉止部材５により閉止されている。閉止部材５とボス３の間には感熱分解部６が設置されている。感熱分解部６はリンク６Ａ、支柱６Ｂ、レバー６Ｃから構成される。リンク６Ａは火災の熱により作動する感熱体であり、２枚の薄い金属板６１を低融点合金で接合して構成されている。低融点合金は６０〜２００℃の範囲内に融点を持つものを使用しており、融点が７２℃や９６℃の低融点合金が一般的に使用されている。
【００１９】
略四角形をした金属板６１、６１は、一方の端に穴６１aを有しており、他方の端にはスリット６１ｂが設置されている。２枚の金属板６１は、穴６１ａが設置された側と反対側の端を重ねた状態で低融点合金により接合されている。接合後の一方の金属板６１の穴６１aの位置には、他方の金属板６１のスリット６１ｂが配置される。２つの穴６１ａには、それぞれ支柱６Ｂとレバー６Ｃが挿通される。
【００２０】
支柱６Ｂは短冊型であり、一端はノズル１Ａの出口に設置された閉止部材５と係合され他端はレバー６Ｃの先端に係合される。前述のように支柱６Ｂにはリンク６Ａの穴６１ａが挿通されている。支柱６Ｂの中間には突起６３が設置されており、突起６３の上にリンク６Ａを係止している。
【００２１】
レバー６Ｃは細長い板を略Ｌ字型に屈曲させて構成している。前述のようにレバー６Ｃの一端側はリンク６Ａの穴６１ａに挿通されている。レバー６Ｃの他端側は支柱６Ｂと係合しており、レバー６Ｃには支柱６Ｂの先端が係合される溝６４が設置されている。
【００２２】
溝６４が設置された面の裏側の面には、凹部６５が設置されている。凹部６５は溝６４よりもレバー６Ｃの他端よりに設置される。凹部６５にはボス３の内部に螺入されたインプレスネジ７が接触している。インプレスネジ７の先端がレバー６Ｃの凹部６５を押圧すると、レバー６Ｃは支柱６Ｂが係止されている溝６４を支点として回転する力が作用する。しかしながらレバー６Ｃの一端側にはリンク６Ａの穴６１ａが挿通されており、レバー６Ｃの回転を阻止している。これにより感熱分解部６を構成するリンク６Ａ、支柱６Ｂ、レバー６Ｃは係合状態を維持している。またインプレスネジ７は感熱分解部６を介して閉止部材５をノズル１Ａ側に押圧保持している。
【００２３】
スプリンクラーヘッドＳは本体１が天井裏の給水配管と接続され、デフレクター４が天井板から室内側に突出して設置される。火災時において、リンク６Ａの低融点合金が溶融すると、一方の金属板６１が上記のレバー６Ｃの回転によってもう一方の金属板６１から引き剥がされる。これにより感熱分解部６の係合状態は解除され、リンク６Ａ、支柱６Ｂ、レバー６Ｃの係合が外れるとともに支柱６Ｂによって支えられていた閉止部材５はノズル１Ａから離れて脱落し、ノズル１Ａが開放される。
【００２４】
図１〜図３に示す本実施形態のプロテクター１０は、前述のリンク６Ａを保護するものであり、２本のフレームアーム２およびデフレクター４に対して着脱可能に係合される。プロテクター１０は図３に示すスプリンクラーヘッドＳに装着する前の状態において、ベース１１が細長い板状をしている。ベース１１は図中二点鎖線によって均等間隔に区切られた４つのプレート部（１１ａ〜１１ｄ）に分けられる。ベース１１において二点鎖線の箇所には溝１２が刻設されており、溝１２の部分はベース１１の厚さが減少している。ベース１１は溝１２を折り目にして折り曲げることができる。図において溝１２はベース１１の裏面に刻設されている。ベース１１は弾性を有する材料から構成されており、本実施形態では樹脂により構成されている。
【００２５】
ベース１１の両端には係合構造が設置されている。より具体的に説明すると図３において、ベース１１の右端には突起１３が設置され、左端には突起１３を受けるスリット１４が設置されている。溝１２を折り目にしてベース１１が輪になるように折り、突起１３をスリット１４に挿通させて係合することができる。
【００２６】
突起１３とスリット１４は着脱可能であり、突起１３の先端１３ａは根元１３ｂよりも幅が広く形成されている。図中においてスリット１４の幅はベース１１の左端に向かうに従い幅が狭く形成されている。スリット１４の幅が広い部分は突起１３の先端１３ａが通過可能であるが、スリット１４の幅が狭い部分においては先端１３ａがスリット１４に引っ掛かり通過することができない。
【００２７】
ベース１１をスプリンクラーヘッドＳの周囲を取り囲むように輪のようにして配置し、突起１３の先端１３ａをスリット１４の幅の広い部分に挿通させる。するとベース１１は弾性により元の板状に戻ろうとする力が作用して、突起１３の先端１３ａはスリット１４の幅が狭い部分に係合される。
【００２８】
ベース１１の表面にはデフレクター４と係合可能な突起として一対のフィン１５を有している。フィン１５はプレート部１１ａ〜１１ｄにそれぞれ設置されており、一対のフィン１５の間に板状のデフレクター４の周縁を上下から挟むように支持する。またプレート１１ｂ、１１ｄにはフレームアーム２と係合可能な突起１６が設置されている。突起１６はフレームアーム２を囲むように支持する。
【００２９】
フィン１５の内側には、凸部１５ａが形成されている。図中において凸部１５ａは上側のフィン１５にのみ設置されている。凸部１５ａによりデフレクター４を一対のフィン１５の間に密着して係合させることができる。あるいは凸部１５ａをデフレクター４の周縁に形成されたスリット（図示しない）に挿通させることで、デフレクター１４とプロテクター１０のがたつきを防止することができる。
【００３０】
突起１６の先端はプレート部１１ｂ、１１ｄに対して離間して設置されている。突起１６の先端には２つの平行な面１６ａ、１６ａと、２つの面１６aに交差するように設置された面１６ｂを有している。面１６ｂはフレームアーム２に近接して配置され、２つの面１６ａにてフレームアーム２を挟持する。フレームアーム２は、２つの面１６ａと１６ｂにより３方向から支持されており、プロテクター１０の下方に外力が加わった場合にも突起１６とフレームアーム２の係合状態を維持して感熱体（リンク６Ａ）に外力が及ばないようにしている。
【００３１】
フィン１５や突起１６によりプロテクター１０はスプリンクラーヘッドＳに対して四方から係合されており、強固にスプリンクラーヘッドＳに装着されている。感熱体（リンク６Ａ）は各プレート部１１ａ〜１１ｄによって囲われており、リンク６Ａとベース１１の間には所定の間隔が設けられているので、プロテクター１０に外力が加わってベース１１が多少変形してもリンク６Ａに外力が及ばないように構成している。
【００３２】
上記のプロテクター１０は、スプリンクラーヘッドＳが製造された段階で装着され、輸送時や施工時の外力から感熱体を保護している。施工が完了した際にはプロテクター１０は取外される。プロテクター１０をスプリンクラーヘッドＳから取外す際には、突起１３をスリット１４の幅が広い側に移動させ、突起１３をスリット１４から引き抜く。するとベース１１は弾性によって元の板状に戻ろうとする力が作用し、この力がフィン１５や突起１６をデフレクター４やフレームアーム２から外れるのを助けるように作用するのでスプリンクラーヘッドＳとプロテクター１０を外すときに過度な力がスプリンクラーヘッドＳに加わりにくくしている。
【００３３】
スプリンクラーヘッドＳから取り外されたプロテクター１０は、破損や汚れが無ければ再利用が可能であり、室内の内装工事の際に再び使用することができる。あるいはスプリンクラーヘッドＳの製造元が回収を行って、新たなスプリンクラーヘッドに再利用することができる。
【符号の説明】
【００３４】
Ｓ  スプリンクラーヘッド  
１  本体  
２  フレームアーム  
３  ボス  
４  デフレクター  
５  閉止部材  
６  感熱分解部  
１０  プロテクター  
１１  ベース  
１２  溝  
１３  突起  
１４  スリット  
１５  フィン  
１６  突起
【図１】
2019037463.tif 000003
【図２】
2019037463.tif 000004
【図３】
2019037463.tif 000005
【図４】
2019037463.tif 000006